(57)【要約】  本明細書における教示の１つの態様によれば、基地局（２０）は、ワイヤレスデバイス（１６）によるアップリンク参照信号の送信を、デバイス（１６）によるアップリンクデータ送信のスケジューリングとは別個に、スケジュールする。別個のスケジューリングは、固有の条件の下、固有のデバイス（１６）またはデバイス（１６）のグループに関して、固有の時間において行われてもよい。個別のスケジューリングにより、たとえば、基地局（２０）は、アップリンク参照信号が任意のスケジュール済みアップリンクデータ送信に完全に含まれる場合に可能であるより短いスケジューリング間隔を使用できるようになる。さらなる利点として、所与のデバイス（１６）によるアップリンク参照信号送信の密度または数は、たとえば、チャネル条件、データ送信フォーマットなどに基づいて、適合されてもよい。これに対して、ワイヤレスデバイス（１６）は、アップリンクデータ送信とアップリンク参照信号送信の別個のグラントを受信するように、およびそうした別個のグラントに従って対応するデータおよび参照信号送信を行うように設定される。【選択図】図５
2018528674.tif 000002
【特許請求の範囲】
【請求項１】
ワイヤレス通信ネットワーク（１０）において動作するように設定された基地局（２０）における方法（６００）であって、
アップリンクデータ送信をスケジュールすること（６０２）と、
前記基地局（２０）が他の場合には、前記アップリンクデータ送信を処理するために有効であるチャネル推定を有しないであろうと決定することに応じて、対応するアップリンク参照信号送信をスケジュールすること（６０４）と
によって、ワイヤレスデバイス（１６）による前記アップリンクデータ送信と前記対応するアップリンク参照信号送信とを別個にスケジュールすること
を含む、方法（６００）。
【請求項２】
前記ワイヤレスデバイス（１６）による前記アップリンクデータ送信をスケジュールすること（６０２）は、前記ワイヤレスデバイス（１６）による１つまたは複数のアップリンクデータ送信を、１つまたは複数の第１のスケジュール間隔にて生じるようにスケジュールすることを含み、前記対応するアップリンク参照信号送信をスケジュールすることは、前記ワイヤレスデバイス（１６）による１つまたは複数の対応するアップリンク参照信号送信を、前記第１のスケジューリング間隔の少なくとも１つに対して予め決められた時間に近接する範囲内で生じるように前記基地局（２０）によって選択された１つまたは複数の第２のスケジューリング間隔にて生じるようにスケジュールすることを含む、請求項１に記載の方法（６００）。
【請求項３】
前記ワイヤレスデバイス（１６）による前記対応するアップリンク参照信号送信は、前記対応するアップリンク参照信号送信を、前記アップリンクデータ送信の予め決められた時間に近接する範囲内で生じるように、および前記アップリンクデータ送信のまたがる周波数間隔と少なくとも同じ周波数間隔にまたがるように、前記基地局（２０）がスケジュールすることに基づく、前記ワイヤレスデバイス（１６）による前記アップリンクデータ送信に対応する、請求項１または２に記載の方法（６００）。
【請求項４】
前記対応するアップリンク参照信号送信を受信することなく、前記基地局（２０）は前記アップリンクデータ送信に時間的およびスペクトル的関連性を有するチャネル推定を有しないであろうと決定することにより、前記基地局（２０）が他の場合には、前記アップリンクデータ送信を処理するために有効であるチャネル推定を有しないであろうと決定することをさらに含む、請求項１から３のいずれか一項に記載の方法（６００）。
【請求項５】
前記ワイヤレスデバイス（１６）と前記基地局（２０）の間でどの程度迅速にアップリンクチャネル条件が変化するかを評価することに従って時間的関連性を決定することをさらに含む、請求項４に記載の方法（６００）。
【請求項６】
前記基地局（２０）が前記アップリンクデータ送信を処理するために有効であるチャネル推定を有しているかまたは有することになると決定することに応じて、前記対応するアップリンク参照信号送信をスケジュールしないことをさらに含む、請求項１から５のいずれか一項に記載の方法（６００）。
【請求項７】
前記ワイヤレスデバイス（１６）の前記基地局（２０）によりスケジュールされるべき所与の１つまたは複数のアップリンクデータ送信について、
前記基地局（２０）と前記ワイヤレスデバイス（１６）の間でどの程度迅速にアップリンクチャネル条件が変化するかを前記基地局（２０）が評価することに従って、前記ワイヤレスデバイス（１６）による対応するアップリンク参照信号送信がスケジュールされる時間または回数を変更することと、
前記所与の１つまたは複数のアップリンクデータ送信に関連付けられている１つまたは複数の送信フォーマットに従って、前記ワイヤレスデバイス（１６）による対応するアップリンク参照信号送信がスケジュールされる時間または回数を変更することと
のうちの少なくとも１つに基づいて、必要に応じて、前記ワイヤレスデバイス（１６）による１つまたは複数の対応するアップリンク参照信号送信を条件付きでスケジュールすることを含む、請求項１から６のいずれか一項に記載の方法（６００）。
【請求項８】
前記基地局（２０）は、前記ワイヤレスデバイス（１６）に対してサービング基地局（２０）として動作するか、または別の方法で前記ワイヤレスデバイス（１６）に前記通信ネットワーク（１０）への無線接続を提供する、請求項１から７のいずれか一項に記載の方法（６００）。
【請求項９】
前記通信ネットワーク（１０）は、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）仕様による、Ｌｏｎｇ  Ｔｅｒｍ  Ｅｖｏｌｕｔｉｏｎ（ＬＴＥ）ネットワーク、またはＬＴＥ−Ａｄｖａｎｃｅｄネットワークとして設定され、前記対応するアップリンク参照信号送信は、復調参照シンボル（ＤＭＲＳ）送信を含み、前記アップリンクデータ送信は、物理アップリンク共有チャネル（ＰＵＳＣＨ）送信または物理アップリンク制御チャネル（ＰＵＣＣＨ）送信を含む、請求項１から８のいずれか一項に記載の方法（６００）。
【請求項１０】
前記ワイヤレスデバイス（１６）による前記アップリンクデータ送信と前記対応するアップリンク参照信号送信とを別個にスケジュールすることは、
第１のダウンリンク制御情報（ＤＣＩ）メッセージを前記ワイヤレスデバイス（１６）に送って、前記アップリンクデータ送信をスケジュールし、第２のＤＣＩメッセージを前記ワイヤレスデバイス（１６）に送って、前記対応するアップリンク参照信号送信をスケジュールすることと、
前記アップリンクデータ送信および前記対応するアップリンク参照信号送信の両方のスケジューリング情報を含むＤＣＩメッセージを前記ワイヤレスデバイス（１６）に送ることと
のうちの１つを含む、請求項９に記載の方法（６００）。
【請求項１１】
前記ワイヤレスデバイス（１６）が送るべき所与のデータを有していると決定すること、１つまたは複数のチャネルメトリックにより前記基地局（２０）と前記ワイヤレスデバイス（１６）の間のアップリンクチャネル条件が安定していると決定すること、および１つまたは複数のスケジュール済みのアップリンクデータ送信で前記所与のデータを送ることに関連して対応するアップリンク参照信号送信を送るために、前記ワイヤレスデバイス（１６）に半永続的スケジューリング割り当てを行うことをさらに含む、請求項１から１０のいずれか一項に記載の方法（６００）。
【請求項１２】
前記ワイヤレスデバイス（１６）および前記基地局（２０）によって使用されるアップリンク信号構造は、サブフレームに分割され、前記サブフレームがシンボル期間にさらに分割される、送信フレームを規定し、前記ワイヤレスデバイス（１６）による前記アップリンクデータ送信と前記対応するアップリンク参照信号送信とを別個にスケジュールすることは、前記ワイヤレスデバイス（１６）による１つまたは複数のアップリンクデータ送信をスケジュールすること、および前記ワイヤレスデバイス（１６）による１つまたは複数の対応するアップリンク参照信号送信をサブ−サブフレームスケジューリング分解能でスケジュールすることを含み、前記サブ−サブフレームスケジューリング分解能は、少なくとも１シンボル期間の解像度を有するが、１サブフレームよりも小さいスケジューリング間隔を規定する、請求項１から１１のいずれか一項に記載の方法（６００）。
【請求項１３】
ワイヤレス通信ネットワーク（１０）において動作するように設定された基地局（２０）であって、
ワイヤレスデバイス（１６）に信号を送り、ワイヤレスデバイス（１６）から信号を受信するように設定された無線送受信機回路（３２、３４）と、
前記無線送受信機回路（３２、３４）に動作可能に関連付けられ、
アップリンクデータ送信をスケジュールし、
前記基地局（２０）が他の場合には、前記アップリンクデータ送信を処理するために有効であるチャネル推定を有しないであろうと決定することに応じて、対応するアップリンク参照信号送信をスケジュールする
ように設定されることに基づいて、前記ワイヤレスデバイス（１６）による前記アップリンクデータ送信と前記対応するアップリンク参照信号送信とを別個にスケジュールするように動作可能な処理回路（３６）と
を備える、基地局（２０）。
【請求項１４】
前記処理回路（３６）は、前記ワイヤレスデバイス（１６）による１つまたは複数のアップリンクデータ送信が１つまたは複数の第１のスケジューリング間隔にて生じるようにスケジュールすることによって、前記ワイヤレスデバイス（１６）による前記アップリンクデータ送信をスケジュールするように設定され、前記ワイヤレスデバイス（１６）による１つまたは複数の対応するアップリンク参照信号送信が、前記第１のスケジューリング間隔の少なくとも１つに対して予め決められた時間に近接する範囲内で生じるように前記基地局（２０）によって選択された１つまたは複数の第２のスケジューリング間隔にて生じるようにスケジュールすることによって、前記対応するアップリンク参照信号送信をスケジュールするように設定される、請求項１３に記載の基地局（２０）。
【請求項１５】
前記ワイヤレスデバイス（１６）による前記対応するアップリンク参照信号送信は、前記対応するアップリンク参照信号送信を、前記アップリンクデータ送信の予め決められた時間に近接する範囲内で生じるよう、および前記アップリンクデータ送信のまたがる周波数間隔と少なくとも同じ周波数間隔にまたがるようスケジュールするように前記基地局（２０）が設定されていることに基づく、前記ワイヤレスデバイス（１６）による前記アップリンクデータ送信に対応する、請求項１３または１４に記載の基地局（２０）。
【請求項１６】
前記処理回路（３６）は、前記対応するアップリンク参照信号送信を受信することなく、前記基地局（２０）が前記アップリンクデータ送信に時間的およびスペクトル的関連性を有するチャネル推定を有しないであろうと決定することにより、前記基地局（２０）が他の場合には、前記アップリンクデータ送信を処理するために有効であるチャネル推定を有しないであろうと決定するように設定される、請求項１３から１５のいずれか一項に記載の基地局（２０）。
【請求項１７】
前記処理回路（３６）は、前記ワイヤレスデバイス（１６）と前記基地局（２０）の間でどの程度迅速にアップリンクチャネル条件が変化するかを評価することに従って時間的関連性を決定するように設定される、請求項１６に記載の基地局（２０）。
【請求項１８】
前記処理回路（３６）は、前記基地局（２０）が前記アップリンクデータ送信を処理するために有効であるチャネル推定を有しているかまたは有することになると決定することに応じて、前記対応するアップリンク参照信号送信をスケジュールしないように設定される、請求項１３から１７のいずれか一項に記載の基地局（２０）。
【請求項１９】
前記ワイヤレスデバイス（１６）の前記基地局（２０）によりスケジュールされるべき所与の１つまたは複数のアップリンクデータ送信について、前記処理回路（３６）は、
前記基地局（２０）と前記ワイヤレスデバイス（１６）の間でどの程度迅速にアップリンクチャネル条件が変化するかを評価することに従って、前記ワイヤレスデバイス（１６）による対応するアップリンク参照信号送信がスケジュールされる時間または回数を変更することと、
前記所与の１つまたは複数のアップリンクデータ送信に関連付けられている１つまたは複数の送信フォーマットに従って、前記ワイヤレスデバイス（１６）による対応するアップリンク参照信号送信がスケジュールされる時間または回数を変更することと
のうちの少なくとも１つに基づいて、必要に応じて、前記ワイヤレスデバイス（１６）による１つまたは複数の対応するアップリンク参照信号送信を条件付きでスケジュールするように設定される、請求項１３から１８のいずれか一項に記載の基地局（２０）。
【請求項２０】
前記ワイヤレスデバイス（１６）に対してサービング基地局（２０）として動作するか、または別の方法で前記ワイヤレスデバイス（１６）に前記通信ネットワーク（１０）への無線接続を提供するように設定される、請求項１３から１９のいずれか一項に記載の基地局（２０）。
【請求項２１】
前記通信ネットワーク（１０）は、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）仕様による、Ｌｏｎｇ  Ｔｅｒｍ  Ｅｖｏｌｕｔｉｏｎ（ＬＴＥ）ネットワーク、またはＬＴＥ−Ａｄｖａｎｃｅｄネットワークとして設定され、前記対応するアップリンク参照信号送信は、復調参照シンボル（ＤＭＲＳ）送信を含み、前記アップリンクデータ送信は、物理アップリンク共有チャネル（ＰＵＳＣＨ）送信または物理アップリンク制御チャネル（ＰＵＣＣＨ）送信を含む、請求項１３から２０のいずれか一項に記載の基地局（２０）。
【請求項２２】
前記処理回路（３６）は、第１のダウンリンク制御情報（ＤＣＩ）メッセージを前記ワイヤレスデバイス（１６）に送って、前記アップリンクデータ送信をスケジュールし、第２のＤＣＩメッセージを前記ワイヤレスデバイス（１６）に送って、前記対応するアップリンク参照信号送信をスケジュールするように設定されるか、または前記アップリンクデータ送信および前記対応するアップリンク参照信号送信の両方のスケジューリング情報を含むＤＣＩメッセージを前記ワイヤレスデバイス（１６）に送るように設定される、請求項２１に記載の基地局（２０）。
【請求項２３】
前記処理回路（３６）は、前記ワイヤレスデバイス（１６）が送信すべき所与のデータを有していると決定し、１つまたは複数のチャネルメトリックにより前記基地局（２０）と前記ワイヤレスデバイス（１６）の間のアップリンクチャネル条件が安定していると決定し、１つまたは複数のスケジュール済みのアップリンクデータ送信で前記所与のデータを送ることに関連して対応するアップリンク参照信号送信を送る際に前記ワイヤレスデバイス（１６）が使用する、半永続的スケジューリング割り当てを前記ワイヤレスデバイス（１６）に行うように設定される、請求項２１または２２に記載の基地局（２０）。
【請求項２４】
前記ワイヤレスデバイス（１６）および前記基地局（２０）によって使用されるアップリンク信号構造は、サブフレームに分割され、前記サブフレームがシンボル期間にさらに分割される、送信フレームを規定し、前記処理回路（３６）は、前記ワイヤレスデバイス（１６）による１つまたは複数のアップリンクデータ送信をスケジュールし、前記ワイヤレスデバイス（１６）による１つまたは複数の対応するアップリンク参照信号送信をサブ−サブフレームスケジューリング分解能でスケジュールするように設定されることに基づいて、前記ワイヤレスデバイス（１６）による前記アップリンクデータ送信と前記対応するアップリンク参照信号送信とを別個にスケジュールするように設定され、前記サブ−サブフレームスケジューリング分解能は、少なくとも１シンボル期間の解像度を有するが、１サブフレームよりも小さいスケジューリング間隔を規定する、請求項１３から２３のいずれか一項に記載の基地局（２０）。
【請求項２５】
ワイヤレス通信ネットワーク（１０）において動作するように設定されたワイヤレスデバイス（１６）における方法（７００）であって、
ワイヤレスデバイス（１６）によるアップリンクデータ送信の第１のグラントを受信し、対応するアップリンク参照信号送信の第２のグラントを別個に受信すること（７０２）と、
前記第１のグラントに従ってアップリンクデータを送信し、前記第２のグラントに従ってアップリンク参照信号を送信すること（７０４）と
を含む、方法（７００）。
【請求項２６】
前記第１のグラントに従って前記アップリンクデータを送信し、前記第２のグラントに従って前記アップリンク参照信号を送信すること（７０４）は、前記第１のグラントによって割り当てられた第１のスケジューリング間隔にて前記アップリンクデータを送信すること、および前記第２のグラントによって割り当てられた第２のスケジューリング間隔にて前記アップリンク参照信号を送信することを含む、請求項２５に記載の方法（７００）。
【請求項２７】
前記第１のグラントは、第１の周波数間隔にある周波数リソースを割り当て、前記第２のグラントは、前記第１の周波数間隔に少なくともまたがる周波数リソースを割り当てる、請求項２６に記載の方法（７００）。
【請求項２８】
前記第２のグラントを受信することは、半永続的スケジューリンググラントを受信することを含み、前記第２のグラントに従って前記アップリンク参照信号送信を実行することは、アップリンク参照信号を前記半永続的スケジューリンググラントによって暗示される複数のスケジュール間隔の各々において送信することを含む、請求項２５から２７のいずれか一項に記載の方法（７００）。
【請求項２９】
所与のアップリンクデータ送信への時間的およびスペクトル的関連性を有するアップリンク参照信号送信が他の場合にはないであろうと決定することに応じて、前記ワイヤレスデバイス（１６）による前記所与のアップリンクデータ送信に対応するアップリンク参照信号を送信することを自律的に決めることをさらに含む、請求項２５から２８のいずれか一項に記載の方法（７００）。
【請求項３０】
ワイヤレス通信ネットワーク（１０）において動作するように設定されたワイヤレスデバイス（１６）であって、
前記ワイヤレス通信ネットワーク（１０）に信号を送り、前記ワイヤレス通信ネットワーク（１０）から信号を受信するように設定された無線送受信機回路（５２、５４）と、
前記無線送受信機回路（５２、５４）に動作可能に関連付けられている処理回路（５６）であって、
前記ワイヤレスデバイス（１６）によるアップリンクデータ送信の第１のグラントを受信し、対応するアップリンク参照信号送信の第２のグラントを別個に受信するように設定され、
前記第１のグラントに従ってアップリンクデータを送信し、前記第２のグラントに従ってアップリンク参照信号を送信するように設定された、処理回路（５６）と
を備える、ワイヤレスデバイス（１６）。
【請求項３１】
前記処理回路（５６）は、前記第１のグラントによって割り当てられた第１のスケジューリング間隔にて前記アップリンクデータを送信し、前記第２のグラントによって割り当てられた第２のスケジューリング間隔にて前記アップリンク参照信号を送信するように設定される、請求項３０に記載のワイヤレスデバイス（１６）。
【請求項３２】
前記第１のグラントは、第１の周波数間隔にある周波数リソースを割り当て、前記第２のグラントは、前記第１の周波数間隔に少なくともまたがる周波数リソースを割り当てる、請求項３１に記載のワイヤレスデバイス（１６）。
【請求項３３】
前記第２のグラントは、半永続的スケジューリンググラントを備え、前記処理回路（５６）は、前記半永続的スケジューリンググラントによって暗示される複数のスケジュール間隔の各々でアップリンク参照信号を送信するように設定される、請求項３０から３２のいずれか一項に記載のワイヤレスデバイス（１６）。
【請求項３４】
前記処理回路（５６）は、所与のアップリンクデータ送信へのスペクトル的および時間的関連性を有するアップリンク参照信号送信が他の場合にはないであろうと決定することに応じて、前記ワイヤレスデバイス（１６）による前記所与のアップリンクデータ送信に対応するアップリンク参照信号を送信することを自律的に決めるように設定される、請求項３０から３３のいずれか一項に記載のワイヤレスデバイス（１６）。
【発明の詳細な説明】
【技術分野】
【０００１】
本発明は、通信ネットワークに関し、詳細には、通信ネットワークにおいて動作する１つまたは複数のワイヤレスデバイスによるアップリンクデータおよび参照信号送信を別個にスケジュールすることに関する。
【背景技術】
【０００２】
パケットデータレイテンシは、ベンダー、オペレータ、およびエンドユーザもまた（速度テストアプリケーションを介して）定期的に測定するパフォーマンスメトリックの１つである。レイテンシ測定は、新しいソフトウェアリリースまたはシステムコンポーネントを検査するとき、システムを配置するとき、およびシステムが商用運用中であるときなど、無線アクセスネットワークシステムの存続期間のあらゆる段階において行われる。
【０００３】
ロング・ターム・エボリューション（Ｌｏｎｇ  Ｔｅｒｍ  Ｅｖｏｌｕｔｉｏｎ：ＬＴＥ）の設計を導いた１つのパフォーマンスメトリックは、第３世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ：３ＧＰＰ）によって規定された、無線アクセス技術（ＲＡＴ）の以前の世代よりも優れたレイテンシであった。ＬＴＥはまた、現在、移動体無線技術の以前の世代に比べて、インターネットへのより高速なアクセスおよびより低いデータレイテンシをもたらすシステムであると、エンドユーザに認識されている。
【０００４】
パケットデータレイテンシは、システムの知覚反応性にとって重要であるだけではなく、システムのスループットに間接的に影響を及ぼすパラメータでもある。ハイパーテキスト転送プロトコル／伝送制御プロトコル（ＨＴＴＰ／ＴＣＰ）は、今日インターネットにおいて使用される主要なアプリケーションおよびトランスポート層プロトコルスイートである。ＨＴＴＰアーカイブ、ｈｔｔｐ：／／ｈｔｔｐａｒｃｈｉｖｅ．ｏｒｇ／ｔｒｅｎｄｓ．ｐｈｐによれば、インターネット上のＨＴＴＰベースのトランザクションの典型的なサイズは、数十キロバイトから最大１メガバイトの範囲にわたる。このサイズの範囲において、ＴＣＰスロースタート期間は、パケットストリームの合計トランスポート期間の重要な部分である。ＴＣＰスロースタート中、未解決となり得る、すなわち送信されるが確認応答されない可能性のあるトラフィックの量を規定するために「輻輳ウィンドウ」がＴＣＰによって使用され、パケットレイテンシは輻輳ウィンドウがいかに迅速に最適化され得るかを制限する。したがって、改善されたレイテンシは、これらのタイプのＴＣＰベースのデータトランザクションの平均スループットを改善する。
【０００５】
一般に無線リソース効率は、レイテンシ低減によりプラスの影響を受ける。より低いパケットデータレイテンシは、特定の遅延境界内で可能な送信の数を増大させることができ、したがって、より高いＢＬＥＲターゲットが、データ送信に使用されて、システムの容量を改善する可能性のある無線リソースを解放することができる。知覚される体感品質の増大に関してレイテンシの低減によりプラスの影響を受けるであろう現行アプリケーションがいくつかあり、例をあげると、ゲーム、ＶｏＬＴＥ／ＯＴＴ  ＶｏＩＰおよびマルチパーティテレビ会議のようなリアルタイムアプリケーションがある。将来的に、さらに遅延が重要となる新しいアプリケーションがいくつか出てくるであろう。例としては、車両のリモート制御／運転、たとえばスマートグラスにおける拡張現実アプリケーション、または低レイテンシを必要とする固有のマシン通信があり得る。
【０００６】
最後に、データトランスポートの低減されたレイテンシはまた、高位層制御シグナリングのより高速なトランスポートにより、コールセットアップ／ベアラセットアップのような、より高速な無線制御プレーン手順を間接的にもたらすことができることも本明細書において理解される。たとえば、ＬＴＥエアインターフェイスは、無線アクセスネットワーク制御およびスケジューリングに基づく。これらの要因は、データの送信が低位層制御シグナリングのラウンドトリップに依存するので、レイテンシパフォーマンスに影響を与える。
【０００７】
スケジューリング要求の例示の制御シグナリングタイミングを示す図１を検討する。データは、Ｔ０において高位層によって作成され、次いで「ユーザ機器」（ＵＥ）モデムは、スケジュール要求（ＳＲ）を基地局（ＬＴＥの「ｅＮＢ」）に送る必要がある。ｅＮＢは、ＳＲを処理し、データ転送が図のＴ６において開始できるようにグラントで応答する。
【０００８】
これに対して、パケットレイテンシ低減に関して対処すべき１つの領域は、データおよび制御シグナリングのトランスポート時間の低減であり、これは本明細書における教示によれば、より短いスケジューリング間隔を可能にすることによって達成され得ることが、本明細書において認識される。ここで、「スケジューリング間隔」は、リソースをスケジュールする際に割り当てられる時間の最小単位である。ＬＴＥにおいて、スケジューリング間隔は、「送信時間間隔」（ＴＴＩ）と称される。各ＴＴＩは１つのサブフレームの範囲にわたり、これは２つのスロットの範囲にわたり、各スロットは、正規または拡張サイクリックプレフィックス（ＣＰ）が使用されているかどうかに従って６または７のＯＦＤＭシンボル時間を含む。関与する受信機における制御シグナリングの処理時間、たとえばスケジューリンググラントを処理するためにＵＥによって必要とされる処理時間の低減はまた、本明細書においてレイテンシを低減する重要な態様として認識されている。
【０００９】
ターボ復号化に必要とされる時間はコードブロックサイズに依存するので、レイテンシは、コードブロックサイズを低減することによって低減され得る。したがって、コードブロックサイズ（または等価としてトランスポートブロックサイズ）が低減される場合、復号化結果は、（並列デコーダの数に関して所与の復号化機能について）より早く使用可能となろう。長さ６０００ビットの単一の大きいコードブロックを１ミリ秒ごとに送信するのではなく、長さ３０００ビットの２つの連続するブロックを０．５ミリ秒ごとに送信する場合、一次的には、各ブロックの復号化レイテンシを概ね半減させて、しかもビットレートを引き続き保持することができる。より短いブロック長を使用した結果として、この手法には何らかのパフォーマンス低下が伴うこともあり、したがって受信機パフォーマンスとレイテンシ低減との間のトレードオフもあり得ることに留意されたい。
【００１０】
ＬＴＥ仕様のリリース８によれば、ＵＥが物理アップリンク共有チャネル（ＰＵＳＣＨ）でスケジュール済みアップリンクデータ送信を行う場合、送信は、ＰＵＳＣＨサブフレームがまたがる各スロットの中央にアップリンク参照信号送信を含む。この配置は、各スロットの中央における復調参照シンボル（ＤＭＲＳ）の送信を示す図２において認められる。さらに詳細には、図２の縦方向ブロックは、個々のシンボル時間に対応し、スロットあたり７シンボルの２つのスロットに対応する１４ＯＦＤＭシンボル時間が示されている。図２において、スロットの各ペアはサブフレームを構成し、図３は、２つのそのようなサブフレームを示す。
【発明の概要】
【００１１】
本明細書における教示の１つの態様によれば、基地局は、ワイヤレスデバイスによるアップリンク参照信号の送信を、デバイスによるアップリンクデータ送信のスケジューリングとは別にスケジュールする。別個のスケジューリングは、固有の条件の下、固有のデバイスまたはデバイスのグループに関して、固有の時間において行われてもよい。個別のスケジューリングにより、たとえば、基地局は、アップリンク参照信号が任意のスケジュール済みアップリンクデータ送信に完全に含まれる場合に可能であるより短いスケジューリング間隔を使用できるようになる。さらなる利点として、所与のデバイスによるアップリンク参照信号送信の密度または数は、たとえば、チャネル条件、データ送信フォーマットなどに基づいて、適合されてもよい。これに対して、ワイヤレスデバイスは、アップリンクデータ送信とアップリンク参照信号送信の別個のグラントを受信するように、およびそうした別個のグラントに従って対応するデータおよび参照信号送信を行うように設定される。
【００１２】
１つの実施形態において、ワイヤレス通信ネットワークにおいて動作するように設定された基地局における方法は、ワイヤレスデバイスによるアップリンクデータ送信と対応するアップリンク参照信号送信とを別個にスケジュールすることを含む。たとえば、ワイヤレスデバイスによるアップリンクデータ送信と対応するアップリンク参照信号送信とを別個にスケジュールすることは、ワイヤレスデバイスによる１つまたは複数のアップリンクデータ送信を、１つまたは複数の第１のスケジューリング間隔にて生じるようにスケジュールすることと、ワイヤレスデバイスによる１つまたは複数の対応するアップリンク参照信号送信を、１つまたは複数の第２のスケジューリング間隔にて生じるようにスケジュールすることとを含み、１つまたは複数の第２のスケジューリング間隔は、第１のスケジューリング間隔の少なくとも１つの予め決められた時間に近接する範囲内で生じるように、基地局によって選択される。
【００１３】
もう１つの実施形態において、基地局は、ワイヤレス通信ネットワークにおいて動作するように設定され、ワイヤレスデバイスに信号を送信し、ワイヤレスデバイスから信号を受信するように設定された無線送受信機回路と、無線送受信機回路に動作可能に関連付けられている処理回路とを備える。処理回路は、ワイヤレスデバイスによるアップリンクデータ送信と対応するアップリンク参照信号送信とを別個にスケジュールするように設定される。
【００１４】
もう１つの実施形態において、方法は、ワイヤレス通信ネットワークにおいて動作するように設定されたワイヤレスデバイスにおいて実施され、ワイヤレスデバイスによるアップリンクデータ送信の第１のグラントを受信することと、対応するアップリンク参照信号送信の第２のグラントを別個に受信することとを含む。さらに、方法は、ワイヤレスデバイスが第１のグラントに従ってアップリンクデータを送信すること、および第２のグラントに従ってアップリンク参照信号を送信することを含む。第１のグラントに従ってアップリンクデータを送信すること、および第２のグラントに従ってアップリンク参照信号を送信することは、たとえば、第１のグラントによって割り当てられた第１のスケジューリング間隔にてアップリンクデータを送信すること、および第２のグラントによって割り当てられた第２のスケジューリング間隔にてアップリンク参照信号を送信することを含む。
【００１５】
関連する実施形態において、ワイヤレスデバイスは、無線送受信機回路と、無線送受信機回路に動作可能に関連付けられている処理回路とを備えるワイヤレス通信ネットワークにおいて動作するように設定される。無線送受信機回路は、ワイヤレス通信ネットワークに信号を送り、ワイヤレス通信ネットワークから信号を受信するように設定される。処理回路は、ワイヤレスデバイスによるアップリンクデータ送信の第１のグラントを受信し、対応するアップリンク参照信号送信の第２のグラントを別個に受信するように設定され、第１のグラントに従ってアップリンクデータを送信し、第２のグラントに従ってアップリンク参照信号を送信するように設定される。
【００１６】
いうまでもなく、本発明は、上記の特徴および利点に限定されることはない。当業者であれば、以下の詳細な説明を読み、添付の図面を参照することで、追加の特徴および利点を理解するであろう。
【図面の簡単な説明】
【００１７】
【図１】通信ネットワークにおけるアップリンクデータ送信をスケジュールするための例示の制御信号タイミングを示す信号フロー図である。
【図２】既存の物理アップリンク共有チャネル（ＰＵＳＣＨ）送信における復調参照シンボル（ＤＭＲＳ）位置を示す図である。
【図３】複数のサブフレームにわたる複数のＯＦＤＭシンボル期間を示す図であり、ここでＰＵＳＣＨ送信の送信時間間隔（ＴＴＩ）は７シンボル時間にわたる。
【図４】本明細書における教示により設定された１つまたは複数の基地局ノードおよび１つまたは複数のワイヤレスデバイスノードを含む通信ネットワークの１つの実施形態を示すブロック図である。
【図５】本発明における教示により設定された基地局およびワイヤレスデバイスの例示の実施形態を示すブロック図である。
【図６】基地局における処理の方法の１つの実施形態を示す論理流れ図である。
【図７】ワイヤレスデバイスにおける処理の方法の１つの実施形態を示す論理流れ図である。
【図８】複数のサブフレームにわたる複数のＯＦＤＭシンボル期間を示す図であり、ここで送信時間間隔（ＴＴＩ）は１シンボル時間にわたる。
【図９】各サブフレームの第３および第１０シンボル時間ごとにＤＭＲＳ送信機会のある、ＴＴＩあたり７シンボル時間に基づくＰＵＳＣＨ送信を示す図である。
【図１０】各サブフレームの第３および第１０シンボル時間ごとにＤＭＲＳ送信機会のある、ＴＴＩあたり１シンボル時間に基づくＰＵＳＣＨ送信を示す図である。
【発明を実施するための形態】
【００１８】
明確にするためにサフィックスが必要とされる場合を除き、サフィックスを伴わない参照番号は、単数および複数の両方の意味で図面の対応する要素を示すために使用される。このことを念頭において、図４は、本発明における教示により設定されるワイヤレス通信ネットワーク１０の１つの実施形態を示す。示されているネットワーク１０は、無線アクセスネットワーク（ＲＡＮ）１２、およびコアネットワーク（ＣＮ）１４を含む。ネットワーク１０は、任意の数のワイヤレスデバイス１６を、インターネットまたは別のパケットデータネットワークのような、１つまたは複数の外部ネットワーク１８に通信可能に結合する。
【００１９】
ＲＡＮ１２は、複数の基地局２０−１、２０−２、および２０−３を含み、これらはワイヤレスデバイス１６をネットワーク１０にワイヤレスで接続するために使用されるエアインターフェイスを制御するか、または別の方法で提供する。本明細書における教示によれば、基地局２０の少なくとも１つは、本明細書における教示による、ワイヤレスデバイス１６の少なくとも１つによるアップリンクデータ送信とアップリンク参照信号送信の別個のスケジューリングを実行するように設定される。これには、いうまでもなく、ワイヤレスデバイス１６が、アップリンクデータ送信およびアップリンク参照信号送信の別個のスケジューリングをサポートするように設定され得ることが求められる。
【００２０】
各基地局２０は、１つまたは複数の「セル」２２を提供する。非限定的な例として、セル２２は、固有のキャリア周波数のような、特定の地理的カバレッジエリア内の、特定の無線リソースの割り当てまたは使用として理解されてもよい。図において、基地局２０−１はセル２２−１を提供し、基地局２０−２はセル２２−２を提供し、基地局２０−３はセル２２−３を提供する。いうまでもなく、所与の基地局２０は、たとえばマルチキャリアオペレーションの場合、２つ以上のセル２２を提供することができ、本明細書における教示は、図４に示される基地局２０およびセル２２の配置に限定されることはない。
【００２１】
たとえば、セルサイズは、適応的または非一様であってもよい。後者の場合、ネットワーク１０は、ヘテロジニアスネットワークを備えることができ、ここで「マクロ」セルと称される１つまたは複数の大きいセルが、「マイクロ」、「ピコ」、または「フェムト」セルと称される１つまたは複数のより小さいセルによってオーバーレイされる。これらのより小さいセルは、低電力のアクセスポイントによって提供され、より高いデータレートのサービスを提供するサービスホットスポットとして使用されてもよく、および／または、マクロセルによって提供されるサービスカバレッジを拡張もしくは補充するために使用されてもよい。一部のヘテロジニアス配置において、マイクロセルは、マクロセルによって使用される技術と同じ無線アクセス技術を使用する。
【００２２】
セル設定の詳細にはかかわりなく、ネットワーク１０は、Ｌｏｎｇ  Ｔｅｒｍ  Ｅｖｏｌｕｔｉｏｎ（ＬＴＥ）ネットワーク、またはＬＴＥ−Ａｄｖａｎｃｅｄネットワークを備える例示の実施形態であり、すなわちネットワーク１０は、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）により公表された適用可能な仕様に従って動作するように設定される。ＬＴＥのコンテキストにおいて、ｅＮＢまたはｅＮｏｄｅＢと称される基地局２０は、ワイヤレスデバイス１６をネットワーク１０にワイヤレスで接続するためのエアインターフェイスを提供し、エアインターフェイスは、ダウンリンク上で直交周波数分割多元接続（ＯＦＤＭＡ）を使用し、アップリンク上でシングルキャリア−周波数分割多元接続（ＳＣ−ＦＤＭＡ）を使用する。ワイヤレスデバイス１６が、ＬＴＥの場合、およびその他の場合において、ネットワーク１０によって採用されたエアインターフェイス、スペクトル、およびプロトコルで動作するように設定されることが理解されよう。
【００２３】
ネットワーク１０は、ワイヤレスデバイス１６によるアップリンクデータ送信の少なくとも一部のタイプをスケジュールする。たとえば、ＬＴＥにおいて、物理アップリンク共有チャネル（ＰＵＳＣＨ）送信は、基地局２０によりサービングされているワイヤレスデバイス１６のそれぞれ１つに基地局がアップリンクグラントを送信することに基づいて、基地局２０によってスケジュールされる。基地局２０は、ワイヤレスデバイス１６から送信された関連する参照信号を使用して、スケジュール済みアップリンクデータ送信を復調または別の方法で処理する。背景技術において説明されているように、従来の手法は、参照信号が、アップリンクデータ送信に統合されて、ワイヤレスデバイス１６が１つまたは複数の参照信号、たとえばサウンディング参照シンボル（ＳＲＳ）を、各スケジュール済みアップリンクデータ送信に自動的に含むようにするものである。
【００２４】
従来の手法とは異なり、図４の１つまたは複数の基地局２０は、ワイヤレスデバイス１６によるアップリンク参照信号送信とアップリンクデータ送信との別個のスケジューリングを使用し、所与のスケジューリング間隔がデータ送信に割り当てられ、別の所与のスケジューリング間隔が参照信号送信に割り当てられるようにする。しかし、一部の実施形態において、別個のスケジューリングは、必ずしも、常時、またはすべての条件下において、またはネットワーク内のすべてのワイヤレスデバイスには少なくとも関することなく、使用されるわけではない。たとえば、アップリンクデータとアップリンク参照信号送信との別個のスケジューリングをサポートしないレガシーデバイスがある場合もある。
【００２５】
別個のスケジューリングの有利なコンテキストにおいて、データ送信に使用されるスケジューリング間隔は、参照信号送信に使用されるスケジューリング間隔と同じサイズである必要はなく、任意の所与の数のデータ送信に対する参照信号送信の数は、たとえば変化するチャネル条件に応じて適合されてもよく、デバイスごとに管理されてもよい。ＬＴＥの例において、本明細書における教示により、最小スケジューリング間隔は、１ＯＦＤＭシンボル時間ほどに小さくすることができる。１ＯＦＤＭシンボルのように短いデータ送信がスケジュールされて、１つまたは複数の対応する参照信号送信がそのようなデータ送信とは別個にスケジュールされてもよい。この手法は、実施中の基地局２０が、アップリンクで「サブ−サブフレーム」スケジューリングを使用できるようにするが、これは１サブフレームよりも小さいスケジューリング間隔が規定されて、アップリンクデータおよび参照信号送信を別個にスケジュールするために使用され得ることを意味する。言い換えれば、アップリンクスケジューリングは、ＯＦＤＭシンボル期間の解像度で実行され得る。
【００２６】
ワイヤレスデバイス１６の１つまたは複数は、別個のアップリンクデータおよび参照信号送信をサポートし、さらに一般的には、すべてのワイヤレスデバイス１６は、ネットワーク１０において動作するように設定される。そのようなものとして、各ワイヤレスデバイス１６は、ネットワーク１０によって使用される信号構造、スペクトル、およびプロトコルに従って通信するように設定される。
【００２７】
説明を容易にするためにネットワーク図が簡略化されており、ネットワーク１０が、示されているエンティティのうち任意の１つまたは複数の追加の例を含むことがあり、示されていないその他のエンティティを含むことがあることも理解されるであろう。たとえば、ＣＮ１４は、モビリティ管理エンティティ（ＭＭＥ）、サービングゲートウェイ（ＳＧＷ）、パケットゲートウェイ（ＰＧＷ）、ならびに測位ノード、操作および保守ノード、課金および請求ノードまたはシステムのような、１つまたは複数のその他のノードを含むことができる。
【００２８】
図５は、基地局２０およびワイヤレスデバイス１６の１つの実施形態の例示の詳細を示す。基地局２０は、無線受信機回路３２および無線送信機回路３４を含む１つまたは複数の通信インターフェイス３０を含む。たとえば、無線受信機回路３２および無線送信機回路３４は、ネットワーク１０内で動作している任意の数のワイヤレスデバイス１６との間で信号を受信する際および信号を送信する際に使用するための、任意の数の無線受信機および送信機、ならびに関連する電力制御および信号処理回路を備える。
【００２９】
一部の実施形態において、通信インターフェイス３０はまた、ハンドオーバ、干渉調整などのような、多数の理由により隣接基地局のような、１つまたは複数のその他の基地局２０内でシグナリングを交換するために設定される基地局間インターフェイスを含む。さらになお、一部の実施形態において、１つまたは複数の通信インターフェイス３０は、基地局２０をＣＮ１４に通信可能に結合する１つまたは複数のバックホール接続を含む。ＬＴＥの例において、基地局２０は、１つまたは複数のその他の基地局２０への「Ｘ２」インターフェイスを有し、１つまたは複数のゲートウェイノード、および１つまたは複数のモビリティ管理エンティティへの「Ｓ１」インターフェイスを有する。
【００３０】
基地局２０はさらに、処理回路３６および関連するストレージ３８を含む。処理回路３６は、たとえば、１つもしくは複数のマイクロプロセッサ、デジタル信号プロセッサ（ＤＳＰ）、フィールドプログラマブルゲートアレイ（ＦＰＧＡ）、特定用途向け集積回路（ＡＳＩＣ）、および／またはその他のデジタル処理回路を備える。次いで、ストレージ３８は、揮発性の作業メモリならびに不揮発性の設定およびプログラムメモリまたはストレージの混合のような、コンピュータ可読媒体の１つまたは複数のタイプを含む。揮発性ストレージの非限定的な例は、ＳＲＡＭおよびＤＲＡＭを含み、不揮発性ストレージの非限定的な例は、ソリッドステートまたはその他のディスクストレージ、ＦＬＡＳＨ、およびＥＥＰＲＯＭを含む。
【００３１】
本明細書において開示される基地局の教示が、固定もしくはプログラマブル回路を使用して、または固定およびプログラマブル回路の両方の何らかの組み合わせを使用して基地局２０において実施されてもよいことが理解されよう。少なくとも一部の実施形態において、本明細書において教示される基地局の機能は、デジタル処理回路のプログラマチック設定を少なくとも部分的に通じて、格納されているコンピュータプログラム命令のその回路による実行に基づいて実現される。この事例を説明するため、図５は、コンピュータプログラム４０および設定データ４２を格納するストレージ３８を示す。
【００３２】
コンピュータプログラム４０は、処理回路３８内の同じかまたは異なる処理回路によって実行する２つ以上のプログラムまたはルーチンを含むことができる。いずれの場合にも、ストレージ３８は、コンピュータプログラム４０の非一時的ストレージを提供する。ここで「非一時的」とは、必ずしも永続的または不変のストレージを意味するものではないが、少なくとも何らかの持続性のストレージを暗示する、すなわちコンピュータプログラム命令は取り出しおよび実行のために格納される。
【００３３】
これらの例示の詳細を念頭に置き、本明細書において企図される１つまたは複数の実施形態において、基地局２０は、ワイヤレス通信ネットワーク１０において動作するように設定されており、信号をワイヤレスデバイス１６に送信し、信号をワイヤレスデバイス１６から受信するように設定された無線送受信機回路３２、３４を備える。基地局２０は、無線送受信機回路３２、３４に動作可能に関連付けられ、ワイヤレスデバイス１６によるアップリンクデータ送信と対応するアップリンク参照信号送信とを別個にスケジュールするように設定される処理回路３６をさらに備える。
【００３４】
例示の実施形態において、処理回路３６は、ワイヤレスデバイス１６による１つまたは複数のアップリンクデータ送信が１つまたは複数の第１のスケジューリング間隔にて生じるようにスケジュールすることによって、およびワイヤレスデバイス１６による１つまたは複数の対応するアップリンク参照信号送信が１つまたは複数の第２のスケジューリング間隔にて生じるようにスケジュールすることによって、ワイヤレスデバイス１６によるアップリンクデータ送信と対応するアップリンク参照信号送信とを別個にスケジュールするように設定される。処理回路３６は、第２のスケジューリング間隔が、第１のスケジューリング間隔の少なくとも１つの予め決められた時間に近接する範囲内で生じるよう選択するように設定される。ここで、ワイヤレスデバイス１６による「対応する」アップリンク参照信号送信は、所与のアップリンクデータ送信の予め決められた時間に近接する範囲内で生じること、およびアップリンクデータ送信と少なくとも同じ周波数間隔にまたがることに基づいて、ワイヤレスデバイス１６による所与のアップリンクデータ送信に対応する。
【００３５】
一部の実施形態において、処理回路３６は、ワイヤレスデバイス１６による１つまたは複数の所与のアップリンクデータ送信について、ワイヤレスデバイス１６による１つまたは複数の対応するアップリンク参照信号送信を必要に応じてスケジュールすることによって、ワイヤレスデバイス１６によるアップリンクデータ送信と対応するアップリンク参照信号送信とを別個にスケジュールするように設定される。たとえば、処理回路３６は、アップリンクデータ送信をスケジュールし、アップリンク参照信号送信を条件付きでスケジュールすることによって、ワイヤレスデバイス１６によるアップリンクデータ送信と対応するアップリンク参照信号送信とを別個にスケジュールするように設定される。アップリンク参照信号送信の条件付きスケジューリングは、基地局２０が、アップリンクデータ送信に有効である現行チャネル推定を有するかどうかの決定に基づく。
【００３６】
一部の実施形態において、または一部の事例において、アップリンクデータ送信のスケジューリングは、ワイヤレスデバイス１６が送るべきアップリンクデータを有すると決定することに応じて行われる。しかし、その他の実施形態において、またはその他の事例において、基地局２０は、たとえワイヤレスデバイス１６が送信すべきデータを有していない場合であっても、またはたとえワイヤレスデバイス１６が送信すべきデータを有しているかどうかを基地局２０がまだ知らない場合であっても、基地局２０はアップリンクグラントを送信する。そのようなグラントは、「万が一に備えて」を前提に提供されることがあり、レイテンシを低減するために行われてもよい。
【００３７】
広範には、１つまたは複数の実施形態において、処理回路３６は、ワイヤレスデバイス１６による１つまたは複数のアップリンクデータ送信をスケジュールし、ワイヤレスデバイス１６による１つまたは複数の対応するアップリンク参照信号送信を必要に応じて条件付きでスケジュールすることによって、ワイヤレスデバイス１６によるアップリンクデータ送信と対応するアップリンク参照信号送信とを別個にスケジュールするように設定される。たとえば、処理回路３６は、基地局２０とワイヤレスデバイス１６の間でどの程度迅速にアップリンクチャネル条件が変化するかを処理回路３６が評価することに従って、ワイヤレスデバイス１６によるアップリンク参照信号送信がスケジュールされる時間または回数を変更すること、および１つまたは複数のアップリンクデータ送信に関連付けられている１つまたは複数の送信フォーマットに従って、ワイヤレスデバイス１６によるアップリンク参照信号送信がスケジュールされる時間または回数を変更すること、のうちの少なくとも１つにより、必要に応じてワイヤレスデバイス１６による１つまたは複数の対応するアップリンク参照信号送信を条件付きでスケジュールするように設定される。
【００３８】
上記の実施形態のいずれかに関して、基地局２０は、たとえば、関与するワイヤレスデバイス１６に対してサービング基地局であるか、または別の方法でワイヤレスデバイス１６に通信ネットワーク１０への無線接続を提供する。さらに、少なくとも１つの実施形態において、通信ネットワーク１０は、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）仕様による、Ｌｏｎｇ  Ｔｅｒｍ  Ｅｖｏｌｕｔｉｏｎ（ＬＴＥ）ネットワーク、またはＬＴＥ−Ａｄｖａｎｃｅｄネットワークとして設定される。そのような実施形態において、当該のアップリンク参照信号送信は、復調参照シンボル（ＤＭＲＳ）送信を含み、当該のアップリンクデータ送信は、物理アップリンク共有チャネル（ＰＵＳＣＨ）送信または物理アップリンク制御チャネル（ＰＵＣＣＨ）送信を含む。すなわち、「アップリンクデータ送信」は、ユーザトラフィックまたは制御情報の送信を含むことができる。
【００３９】
少なくとも１つのそのような実施形態において、処理回路３６は、第１のダウンリンク制御情報（ＤＣＩ）メッセージをワイヤレスデバイス１６に送り、アップリンクデータ送信をスケジュールし、第２のＤＣＩメッセージをワイヤレスデバイス１６に送って、対応するアップリンク参照信号送信をスケジュールするように設定されること、または、アップリンクデータ送信および対応するアップリンク参照信号送信の両方のスケジューリング情報を含むＤＣＩメッセージをワイヤレスデバイス１６に送るように設定されること、のうちの１つに基づいて、ワイヤレスデバイス１６によるアップリンクデータ送信と対応するアップリンク参照信号送信とを別個にスケジュールするように設定される。
【００４０】
もう１つの広範な例において、処理回路３６は、ワイヤレスデバイス１６が送るべきデータを有していると決定すること、１つまたは複数のチャネルメトリックにより基地局２０とワイヤレスデバイス１６の間のアップリンクチャネル条件が安定していると決定すること、および１つまたは複数のスケジュール済みアップリンクデータ送信でデータを送ることに関連して対応するアップリンク参照信号送信を送るために、ワイヤレスデバイス１６に半永続的スケジューリング割り当てを行うこと、に基づいてワイヤレスデバイス１６によるアップリンクデータ送信と対応するアップリンク参照信号送信とを別個にスケジュールするように設定される。
【００４１】
先行の例示の基地局の実施形態の少なくとも一部に適応可能なもう１つの例において、ワイヤレスデバイス１６および基地局２０によって使用されるアップリンク信号構造は、サブフレームに分割され、サブフレームがシンボル期間にさらに分割される、送信フレームを規定する。ここで、基地局の処理回路３６は、ワイヤレスデバイス１６による１つまたは複数のアップリンクデータ送信をスケジュールすることと、ワイヤレスデバイス１６による１つまたは複数の対応するアップリンク参照信号送信をサブ−サブフレームスケジューリング分解能でスケジュールすることとに基づいて、ワイヤレスデバイス１６によるアップリンクデータ送信と対応するアップリンク参照信号送信とを別個にスケジュールするように設定される。サブ−サブフレームスケジューリング分解能は、少なくとも１シンボル期間の解像度を有するが、１サブフレームよりも小さいスケジューリング間隔を規定する。
【００４２】
したがって、基地局２０は、１ＯＦＤＭシンボル期間ほどの短いスケジューリング間隔を使用してアップリンクデータ送信をスケジュールすることができ、１ＯＦＤＭシンボル期間ほどの短い対応するアップリンク参照信号送信を別個にスケジュールすることができる。ここで、特に断りのない限り、アップリンクデータ送信を「スケジュールすること」、またはアップリンク参照信号送信を「スケジュールすること」は、基地局２０がスケジューリングの決定を行うか、または別の方法で特定のリソース割り当てを決定すること、たとえば特定の時間に使用するために特定の周波数リソースを選択すること、およびリソースグラントを指示するシグナリングをワイヤレスデバイス１６に送信すること、として理解されてもよい。
【００４３】
図６は、ワイヤレスデバイス１６によるアップリンクデータ送信と対応するアップリンク参照信号送信とを別個にスケジュールするための、基地局２０における処理の方法６００の例示の実施形態を示す。方法６００は、ワイヤレスデバイス１６によるアップリンクデータ送信をスケジュールすること（ブロック６０２）、および基地局２０が他の場合には、アップリンクデータ送信を処理するための有効なチャネル推定を有しないであろうと決定することに応じて、ワイヤレスデバイス１６による対応するアップリンク参照信号送信を別個にスケジュールすること（ブロック６０４）を含む。この例においてアップリンク参照信号送信をスケジュールすることは、基地局２０がスケジュール済みのアップリンクデータ送信に関してチャネル条件または情報を評価し（ブロック６０４Ａ）、その評価に従って対応するアップリンク参照信号送信をスケジュールする（ブロック６０４Ｂ）場合のような、条件付き処理を伴う。
【００４４】
評価は、たとえば、基地局２０が、スケジュール済みアップリンクデータ送信に関連付けられている時間および／または周波数に関して有効なチャネル情報を有しているかどうかを決定することを含む。１つの例において、関与するワイヤレスデバイス１６の基地局における現行チャネル推定がスケジュール済みアップリンクデータ送信に関して有効となるために、これがスケジュール済みアップリンクデータ送信の予め決められた時間に近接する範囲内で生じていたか、またはその範囲内で生じる必要があり、スケジュール済みアップリンクデータ送信がまたがる周波数間隔と同じ間隔に少なくともまたがる必要がある。さらに広範には、基地局２０は、基地局２０によって既に決定されている任意のチャネル推定が必須の時間およびスペクトルの関連性を有しないであろうと決定すること、および当該のアップリンク参照信号送信を基地局がスケジュールしない限り、その他の時間的およびスペクトル的に関連するアップリンク参照信号送信がワイヤレスデバイス１６から受信されないであろうとさらに決定することに基づいて、基地局２０が他の場合には、所与のアップリンクデータ送信を処理するために有効なチャネル推定を有さないと決定する。
【００４５】
一般に、ワイヤレスデバイス１６によるアップリンク参照信号送信は、ワイヤレスデバイス１６によるアップリンクデータ送信と「対応する」ために、アップリンクデータ送信と関連する必要がある。たとえば、ＯＦＤＭベースのエアインターフェイスについて、関連性は時間的およびスペクトル的関連性として定義されてもよく、これは言い換えると、アップリンク参照信号送信が、チャネル条件が同じまたは類似すると合理的に想定するために時間的に十分にアップリンクデータ送信に近くなければならないということであり、アップリンクデータ送信により使用される周波数間隔と同じ間隔に少なくともまたがる周波数リソースを使用する必要がある。
【００４６】
予め決められた時間に近接するは、ＯＦＤＭシンボル期間に関して規定されてもよく、たとえば、スケジュール済みアップリンクデータ送信の前または後の「ｘ」ＯＦＤＭシンボル時間よりも多く行われたチャネル推定は無効または失効と見なされる。所与のチャネル推定はゆっくりと変化するチャネルについて有効と見なされてもよいが、同じ推定が急速に変化するチャネルについては無効と見なされるように、予め決められた時間に近接するは、観察されるチャネル変動性を考慮して調整されてもよい。スペクトル的近接性は、アップリンクデータ送信に使用されるものと同じ周波数リソース、たとえば同じＯＦＤＭサブキャリアを使用することによって、またはアップリンクデータ送信に使用されるサブキャリアがまたがるものと同じ周波数間隔内に入るＯＦＤＭサブキャリアを少なくとも使用することによって、保証されてもよい。アップリンク参照信号送信のまたがる周波数間隔は、アップリンクデータ送信のまたがる周波数間隔よりも広い場合もある。
【００４７】
ステップ６０４Ａの評価は、付加的、または代替的に、当該のスケジュール済みアップリンクデータ送信の「頑強性」の基地局２０による査定を伴うことができる。たとえば、さまざまな送信フォーマットがさまざまなレベルの情報エンコーディングを使用することができ、したがって基地局２０によって正常に受信される高い可能性または低い可能性を有する場合がある。したがって、基地局２０においてほぼ同じチャネル条件およびほぼ同じチャネル知識を伴う２つの別個の例において、一方の例において基地局２０は、より頑強な送信フォーマットが関与するアップリンクデータ送信に使用されるので、アップリンク参照信号送信をスケジュールしないが、もう一方の例において、基地局２０は、あまり頑強ではない送信フォーマットが関与するアップリンクデータ送信に使用されるので、アップリンク参照信号送信をスケジュールする。
【００４８】
図４に示されるワイヤレスデバイス１６に戻ると、ワイヤレスデバイス１６がすべて同じタイプではなくてもよいこと、および任意の所与のワイヤレスデバイス１６が、ネットワーク１０において動作するように設定された基本的に任意のタイプの装置を備えることができることが理解されよう。所与のワイヤレスデバイス１６は、モバイルであってもよいか、または固定の位置で操作されてもよく、多種多様なパーソナル通信タスクを対象としてもよいか、または特定のタイプの通信に専用であってもよい。
【００４９】
非限定的な例において、ワイヤレスデバイス１６の任意の１つまたは複数は、マシンツーマシン（Ｍ２Ｍ）サービスのために設定されたマシン型通信（ＭＴＣ）デバイスを備える。同じ例または別の例において、ワイヤレスデバイス１６の１つまたは複数は、スマートフォンもしくはフィーチャーフォンのような、セルラー無線電話を備えるか、またはワイヤレス接続性を有するタブレットもしくはラップトップのような、コンピュータデバイスを備える。
【００５０】
図５に示されている例示のワイヤレスデバイス１６は、ネットワーク１０のエアインターフェイスに従って動作するように設定される無線受信機５２および無線送信機５４を有する通信インターフェイス５０を含む。ワイヤレスデバイス１６は、ストレージ５８を含むかまたはこれに関連付けられている処理回路５６をさらに含む。ストレージ５８は、たとえば、揮発性の作業メモリならびに不揮発性の設定およびプログラムメモリまたはその他のストレージの混合のような、コンピュータ可読媒体の１つまたは複数のタイプを含む。
【００５１】
通信インターフェイス５０は、アナログおよびデジタル回路の混合を備えることができる。たとえば、１つまたは複数の実施形態において受信機５２は、図５には明示的に示されていない受信機フロントエンド回路を備える。受信機フロントエンド回路は、１つまたは複数の受信機処理回路、たとえばベースバンドデジタル処理回路およびデジタルサンプルをバッファして操作する関連付けられたバッファメモリ、による処理のために、アンテナで受信された信号に対応するデジタル信号サンプルの１つまたは複数のストリームを生成する。例示の操作は、ワイヤレスデバイス１６において受信された信号で搬送される情報を回復するために、線形化またはその他のチャネル補償を含み、場合によっては干渉抑止、ならびにシンボル復調／検出および復号化を伴う。
【００５２】
処理回路５６は、そのような情報を処理し、送信のための情報を生成する。これに関して処理回路５６は、１つまたは複数のマイクロプロセッサ、ＤＳＰ、ＡＳＩＣ、ＦＰＧＡなどのような、１つまたは複数のデジタル処理回路を備える。さらに一般には、処理回路５６は、固定の回路もしくはプログラム式回路、または固定およびプログラム式回路の混合を使用して実施されてもよい。例示の実施形態において、ストレージ５８は、非一時的な方式でコンピュータプログラム６０を格納するコンピュータ可読媒体を備える。そのような実施形態において処理回路５６は、コンピュータプログラム６０を成すコンピュータプログラム命令の実行に基づいて、本明細書における教示に従って少なくとも部分的に設定される。ストレージ５８はまた、処理回路５６によって使用する、設定データ６２を格納することもできる。
【００５３】
これらの例示の実施の詳細を念頭に置き、本明細書において企図される１つまたは複数の実施形態によるワイヤレスデバイス１６は、ワイヤレス通信ネットワーク１０において操作するように設定されており、信号をネットワーク１０に送り、信号をネットワーク１０から受信するように設定された無線送受信機回路５２、５４を備える。例示のワイヤレスデバイス１６は、無線送受信機回路５２、５４に動作可能に関連付けられている処理回路５６をさらに備える。処理回路５６は、ワイヤレスデバイス１６によるアップリンクデータ送信の第１のグラントを受信し、対応するアップリンク参照信号送信の第２のグラントを別個に受信するように設定される。処理回路５６は、第１のグラントに従ってアップリンクデータを送信し、第２のグラントに従ってアップリンク参照信号を送信するようにさらに設定される。
【００５４】
たとえば、第１および第２のグラントに応じて、処理回路５６は、第１のグラントによって割り当てられた第１のスケジューリング間隔にてアップリンクデータを送信し、第２のグラントによって割り当てられた第２のスケジューリング間隔にてアップリンク参照信号を送信するように設定される。少なくとも１つの実施形態において、第１のグラントは、第１の周波数間隔にある周波数リソースを割り当て、第２のグラントは、第１の周波数間隔に少なくともまたがる周波数リソースを割り当てる。第２のグラントは、半永続的スケジューリンググラントであってもよく、処理回路５６は、次いで、半永続的スケジューリンググラントによって暗示される複数のスケジュール間隔の各々でアップリンク参照信号を送信するように設定される。
【００５５】
同じかまたは別の実施形態において、処理回路５６は、所与のアップリンクデータ送信への時間的およびスペクトル的関連性を有するアップリンク参照信号送信が他の場合にはないであろうと決定することに応じて、ワイヤレスデバイス１６による所与のアップリンクデータ送信に対応するアップリンク参照信号を送信することを自律的に決めるように設定される。例として、処理回路５６は、対応するアップリンク参照信号送信が行われていないこと、および基地局が対応するアップリンク参照信号送信をそれ以外の場合にスケジュールしていないことを検出する。ここで、アップリンク参照信号送信は、アップリンク参照信号送信がアップリンクデータ送信に時間的およびスペクトル的関連性を有する限り、所与のアップリンクデータ送信に関して「対応する」送信であることを理解されたい。
【００５６】
図７は、ワイヤレス通信ネットワーク１０において動作するように設定されるワイヤレスデバイス１６における例示の方法７００を示す。方法７００は、ワイヤレスデバイス１６によるアップリンクデータ送信の第１のグラントを受信し、対応するアップリンク参照信号送信の第２のグラントを別個に受信すること（ブロック７０２）、および第１のグラントに従ってアップリンクデータを送信し、第２のグラントに従ってアップリンク参照信号を送信すること（ブロック７０４）を含む。
【００５７】
ワイヤレスデバイス１６は、ネットワーク１０内で動作するように設定される基本的に任意のタイプの装置であってもよい。非限定的な例は、スマートフォンもしくはフィーチャーフォンのような、セルラー無線電話、またはワイヤレスネットワーク接続性を有するタブレットもしくはラップトップコンピュータのような、その他のモバイルデバイスを含む。しかし、当該のワイヤレスデバイス１６は、必ずしもモバイルではなくてもよく、マルチメディアサービス、ＭＴＣサービスなどのような、基本的に任意のタイプの通信のために設定されてもよい。
【００５８】
さらに、ネットワーク１０を介する通信のために設定されることに加えて、例示のワイヤレスデバイス１６は、デバイス間（Ｄ２Ｄ）機能のような、追加の通信機能を有することができる。実際に、アップリンクデータおよびアップリンク参照信号送信の別個のグラントを受信し、処理し、応答できるデバイス１６の能力は、Ｄ２Ｄのコンテキストにおいて類似する利点を有する。したがって、本明細書において企図される１つまたは複数の実施形態において、別個のグラントは、第１のワイヤレスデバイス１６が第２のワイヤレスデバイス１６へのデータのＤ２Ｄ送信を行い、第２のワイヤレスデバイス１６への参照信号の別個の対応するＤ２Ｄ送信を行う場合のように、データおよび参照信号を別個にＤ２Ｄ送信するためのものである。
【００５９】
３ＧＰＰの用語では、ワイヤレスデバイス１６はユーザ機器（ＵＥ）と称され、例示のＬＴＥの実施形態において、基地局２０はｅＮＢまたはｅＮｏｄｅＢと称され、アップリンク参照信号は、たとえばＤＲＭＳである。さらに、ＬＴＥエアインターフェイスは、各サブフレームが２つのスロットに分割される、それぞれ１０のサブフレームから成る繰り返しフレームを規定する。各スロットは、正規または拡張サイクリックプレフィックス（ＣＰ）が使用されているかどうかに従って、６または７のＯＦＤＭシンボル時間を含む。既存のＬＴＥエアインターフェイスに関する詳細については、３ＧＰＰ  ＴＳ  ３６．２０１  −  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、ＬＴＥ物理層、概要、３ＧＰＰ  ＴＳ  ３６．２１１  −  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、物理チャネルおよび変調、３ＧＰＰ  ＴＳ  ３６．２１２  −  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、多重化およびチャネル符号化、３ＧＰＰ  ＴＳ  ３６．２１３  −  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、物理層手続き、ならびに３ＧＰＰ  ＴＳ  ３６．２１４  −  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、物理層、測定、の参考文献に見出すことができる。
【００６０】
ＬＴＥの用語を使用して、ＤＭＲＳ送信機会のセットを、ＵＥがＤＭＲＳの送信を許可されるサブフレーム内のＯＦＤＭシンボルとして規定する事例を検討する。ＵＥによるＤＭＲＳ送信に使用可能なＯＦＤＭシンボル時間は、固定されていてもよいか、たとえばＯＦＤＭサブフレーム内のシンボル時間３および１０に少なくとも半永続的に割り当てられているか、またはｅＮＢによる進行中のスケジューリング決定および／もしくはＵＥにおける意志決定に基づくサブフレームの任意のシンボルであってもよい。ＤＭＲＳの周波数割り当ては、ＵＥによって受信されたグラントで明示的に与えられてもよいか、または高位層設定シグナリングを介してＵＥに提供されてもよいか、または可能な割り当ての小さいサブセットからＵＥによって選択されてもよい。後者の場合、ＬＴＥネットワークは、高位層シグナリングを介してＵＥにサブセットを指示することができ、さまざまなＤＭＲＳ機会がさまざまな周波数割り当てに関連付けられ得ることに留意されたい。
【００６１】
１つの例示の実施形態において、ＬＴＥネットワークは、ＤＣＩシグナリングを介して別個のＤＭＲＳグラントをＵＥに行う。これらの別個のグラントは、ＵＥごとに行われてもよいか、または同じ送信機会の符号もしくは周波数多重化ＤＭＲＳを送信するＵＥのグループに対して行われてもよい。事例におけるＤＭＲＳグラントは、使用中のスケジューリング間隔よりも長い期間をカバーする。たとえば、使用中のスケジュール間隔が１ＯＦＤＭシンボル時間であると仮定する。ｅＮＢは、たとえばバッファステータスレポート（ＢＳＲ）から、ＵＥがデータ送信を有することを知っており、たとえばＣＱＩレポートから、ＵＥのアップリンクチャネル条件が固定されているかまたはゆっくり変化していることを知っている。
【００６２】
したがって、ｅＮＢは、ＵＥによるアップリンクデータ送信をスケジュールするための次の周波数割り当てを予測し、相応してそうした周波数割り当てでＵＥによるＤＭＲＳ送信を「事前スケジュール」する。ｅＮＢは、１ＯＦＤＭシンボルのスケジューリング間隔解像度でＵＥによるアップリンクデータ送信を別個にスケジュールする。
【００６３】
少なくとも一部の企図される実施形態において、ダウンリンク物理ダウンリンク共有チャネル（ＰＤＳＣＨ）割り当てのためにｅＮＢによって送信されたＤＣＩメッセージは、ＵＬ  ＤＭＲＳグラントを搬送する。少なくとも１つのそのような実施形態において、ＦＴＰ  ＡＣＫ／ＮＡＣＫフィードバックは、ＤＬ  ＰＤＳＣＨ割り当てのためにＵＥによって提供され、アップリンク参照信号送信は、その目的で事前スケジュールされてもよい。類似する手法は、ＵＥによる物理アップリンク制御チャネル（ＰＵＣＣＨ）送信に使用されるものと同じ周波数割り当てでＵＥによるＤＲＭＳ送信を事前スケジュールするために使用されてもよい。
【００６４】
もう１つの例において、ＵＥが、データ送信（この例ではコンテキストはＰＵＳＣＨまたはＰＵＣＣＨ送信であってもよい）のＵＬグラントを受信し、以前のｋシンボルの割り当てられた周波数リソースについてＤＭＲＳを送信していない場合、ただしｋの整数値はグラントのＯＦＤＭシンボルの長さによって決まり得る場合を検討する。有利なことに、これらの状況を認識することに応じて、ＵＥは、次のＤＭＲＳ機会でＤＭＲＳを送信し、そのデータを許可されたＰＵＳＣＨリソースで送信する。オプションとして、この同じ論理は、より長時間の期間中にＵＥによる繰り返しのＤＭＲＳ送信の開始をトリガーするように拡張されてもよい。一般に、ＵＬグラントに使用される第１のＤＭＲＳの周波数割り当ては、トリガーされて繰り返されたＤＭＲＳ送信の周波数割り当てと同じである必要はなく、これはネットワークとＵＥの間の高位層シグナリングを通じて設定されてもよい。
【００６５】
もう１つの例示の実施形態において、ＵＥは、上記のように、連続的に、またはより長い期間中に、ＤＭＲＳ送信の間に比較的長い距離を伴って、ＤＭＲＳを送信するようにスケジュールされる。このモードにおいて、比較的最近のＤＭＲＳが常に使用可能であり、頑強な符号化を使用するＵＬ送信、たとえば低次の変調符号化方式（ＭＣＳ）を使用するＡＣＫ／ＮＡＣＫ送信またはデータ送信を可能にする。次いで、より高いデータレートによる送信が開始する予定である場合、より高密度のＤＭＲＳ送信のＤＭＲＳグラントが提供される。この例は、本明細書の前半において企図されているより広範な設定の可能性を示す、すなわち、所与のＵＥによるアップリンク参照信号送信の密度は、対応するアップリンクデータ送信の頑強性の度合いに従って動的に適合されてもよい。
【００６６】
これ以降、上記の教示のさらなる改良または拡張を検討する。例示のシナリオにおいて、ｅＮＢは、第１のＵＥ（ＵＥ１）に別個のアップリンク参照信号グラントを送り、第２のＵＥ（ＵＥ２）のスケジューリングを、ＵＥ１によるスケジュール済みアップリンク参照信号送信を検出するかどうかに基づいて適合させる。もう１つの例において、特定のＯＦＤＭシンボル時間は、参照信号送信機会として「予約され」、所与のＵＥは、そのままでそれらの機会の１つまたは複数を利用して、たとえばそのデータ送信の１つもしくは複数が対応する参照信号送信を有することを保証する、および／または、基地局がＵＥに事前規定済みの機会の１つもしくは複数において送信するよう指図する。たとえば、サブフレームスロットあたりの所与のＯＦＤＭシンボル時間は、データ送信と対応する参照信号送信を提供するためにＵＥによって使用されるべき「レスキュー」機会として指定されてもよい。
【００６７】
すべてのそのような場合には、１つまたは複数の実施形態においてｅＮＢは、所与のＵＥをスケジュールする際に、事前規定済みの機会、およびオプションとして、送信すべきデータを有するその他のＵＥによるそのような機会の既知または可能な使用に関するその知識を考慮するように設定される。さらに広範には、ｅＮＢまたはその他のネットワーク基地局２０の処理回路３６は、１つまたは複数の実施形態において、任意の数のデバイス１６によるアップリンクデータおよびアップリンク参照信号送信の別個のスケジューリングを実施するように、およびＵＥ間の参照信号送信の衝突を回避するため、任意の数のＵＥによるスケジュール済み／事前スケジュール済みのアップリンク参照信号送信を考慮するように設定される。
【００６８】
これらの有利な設定により、１ＯＦＤＭシンボル時間ほどの細かいＴＴＩ解像度は、アップリンクデータおよび参照信号送信をスケジュールするために使用され得る。この配置は図８において見られるが、これは１ＯＦＤＭシンボル時間のＴＴＩを示し、全体で２つのＬＴＥサブフレームのＯＦＤＭシンボル時間を表すものであり、ここで各サブフレームは各々７シンボルの２つのスロットを備える。
【００６９】
図９は、ＬＴＥの知られている配置を示し、ここでＴＴＩは７ＯＦＤＭシンボル時間に及び、あらゆるサブフレームのシンボル３および１０はＤＭＲＳ送信のために予約されている。図１０は、その配置の非限定的ながら有利な適応を示すが、これは本発明における教示により可能になるサブ−サブフレームアップリンクスケジューリングを活用するものである。図１０において、予約されたシンボル時間は、たとえばＵＥがその別個のＤＭＲＳグラントを逃す場合に「レスキュー」機会として使用するため、または送るべきアップリンクデータを有するＵＥに半永続的ＤＭＲＳグラントを行う際に使用するために保持される。しかし、ＴＴＩ解像度は１ＯＦＤＭシンボル時間に低減される、すなわちアップリンクデータ送信はＤＭＲＳに予約されていないシンボル時間のいずれかにスケジュールされ得ることを意味する。
【００７０】
いうまでもなく、一部の実施形態において、または特定の条件下もしくは特定の時点において、予約済みのシンボル時間がない場合もあり、ＤＭＲＳ送信とアップリンクデータ送信（ＰＵＳＣＨまたはＰＵＣＣＨ）が、サブフレームおよびスロット内の任意の位置において、ＯＦＤＭシンボル時間に至るまでの解像度で別個にスケジュールされてもよい。広範には、本明細書における教示によるｅＮＢは、ＵＥからのＤＭＲＳ送信を、所与の周波数割り当てに対して、データ送信とは別個にスケジュールする。そして、前述のように、ＵＥがその周波数割り当てでＤＭＲＳを最近送ることなくＵＥがＵＬグラントを受信する場合、ＵＥはＤＭＲＳシンボルおよびＰＵＳＣＨデータを、たとえば事前規定済みのＤＭＲＳ時間位置を使用して送信するように、設定されてもよい。
【００７１】
本明細書における教示から得られるいくつかの利点の中でも、ＤＭＲＳをＰＵＳＣＨ送信から独立してスケジュールすることは、ＰＵＳＣＨ送信ごとに常にＤＭＲＳを送信することと比較して、参照信号からのオーバーヘッドを大幅に低減することができる。さらに、ＤＭＲＳをＰＵＳＣＨから独立してスケジュールすることにより、ｅＮＢは、ＵＥからチャネル推定を取得して、事前規定済み／制限されたＤＭＲＳ出現を待つ必要もなく受信したＰＵＳＣＨ送信の復号を開始できるようになる。たとえば、ｅＮＢは、ＵＥによる１つまたは複数のアップリンク参照信号送信を、スケジュール済みアップリンクデータ送信をスケジュールおよび／または受信する前にチャネルを「サウンディング」するようにスケジュールする。
【００７２】
さらに、一部の実施形態によれば、ｅＮＢは、ＵＥへの大半のＤＬ割り当てがＵＥから戻るＴＣＰ  ＡＣＫに至ると仮定することなどによって、ＵＥからのスケジューリング要求を予測するように設定される。したがって、ｅＮＢは、ＵＥの一連のＤＭＲＳ送信を、ＤＬ割り当てを行うことに加えて、スケジュールする。
【００７３】
さらなる実施形態において、ＵＥは、ＵＬグラントを受信して、ＤＭＲＳを最近送信していない場合、デフォルトまたはネットワーク制御の下に、ＤＭＲＳ信号を送信するように設定される。この手法は、各アップリンクデータ送信がＤＭＲＳを伴うことを保証し、これによりｅＮＢは、データ送信を単に許可することによってＤＭＲＳ送信を暗黙的にスケジュールできるようになる。
【００７４】
特に、開示される発明の変更およびその他の実施形態は、前述の説明および関連する図面に提示される教示の恩恵を受ける当業者に考案されるであろう。したがって、本発明が、開示される固有の実施形態に限定されるべきではないこと、ならびに変更およびその他の実施形態が本開示の範囲内に含まれるよう意図されていることを理解されたい。本明細書において固有の用語が採用されている場合があるが、これらは一般的および説明的な意味で使用されているに過ぎず、限定を目的とするものではない。
【図１】
2018528674.tif 000003
【図２】
2018528674.tif 000004
【図３】
2018528674.tif 000005
【図４】
2018528674.tif 000006
【図５】
2018528674.tif 000007
【図６】
2018528674.tif 000008
【図７】
2018528674.tif 000009
【図８】
2018528674.tif 000010
【図９】
2018528674.tif 000011
【図１０】
2018528674.tif 000012
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク（１０）において動作するように設定された基地局（２０）における方法（６００）であって、
アップリンクデータ送信をスケジュールすること（６０２）と、
前記基地局（２０）が他の場合には、前記アップリンクデータ送信を処理するために有効であるチャネル推定を有しないであろうと決定することに応じて、対応するアップリンク参照信号送信をスケジュールすること（６０４）と
によって、ワイヤレスデバイス（１６）による前記アップリンクデータ送信と前記対応するアップリンク参照信号送信とを別個にスケジュールすること
を含む、方法（６００）。
【請求項２】
前記ワイヤレスデバイス（１６）による前記アップリンクデータ送信をスケジュールすること（６０２）は、前記ワイヤレスデバイス（１６）による１つまたは複数のアップリンクデータ送信を、１つまたは複数の第１のスケジュール間隔にて生じるようにスケジュールすることを含み、前記対応するアップリンク参照信号送信をスケジュールすることは、前記ワイヤレスデバイス（１６）による１つまたは複数の対応するアップリンク参照信号送信を、前記第１のスケジューリング間隔の少なくとも１つに対して予め決められた時間に近接する範囲内で生じるように前記基地局（２０）によって選択された１つまたは複数の第２のスケジューリング間隔にて生じるようにスケジュールすることを含む、請求項１に記載の方法（６００）。
【請求項３】
前記ワイヤレスデバイス（１６）による前記対応するアップリンク参照信号送信は、前記対応するアップリンク参照信号送信を、前記アップリンクデータ送信の予め決められた時間に近接する範囲内で生じるように、および前記アップリンクデータ送信のまたがる周波数間隔と少なくとも同じ周波数間隔にまたがるように、前記基地局（２０）がスケジュールすることに基づく、前記ワイヤレスデバイス（１６）による前記アップリンクデータ送信に対応する、請求項１または２に記載の方法（６００）。
【請求項４】
前記対応するアップリンク参照信号送信を受信することなく、前記基地局（２０）は前記アップリンクデータ送信に時間的およびスペクトル的関連性を有するチャネル推定を有しないであろうと決定することにより、前記基地局（２０）が他の場合には、前記アップリンクデータ送信を処理するために有効であるチャネル推定を有しないであろうと決定することをさらに含む、請求項１から３のいずれか一項に記載の方法（６００）。
【請求項５】
前記ワイヤレスデバイス（１６）と前記基地局（２０）の間でどの程度迅速にアップリンクチャネル条件が変化するかを評価することに従って時間的関連性を決定することをさらに含む、請求項４に記載の方法（６００）。
【請求項６】
前記基地局（２０）が前記アップリンクデータ送信を処理するために有効であるチャネル推定を有しているかまたは有することになると決定することに応じて、前記対応するアップリンク参照信号送信をスケジュールしないことをさらに含む、請求項１から５のいずれか一項に記載の方法（６００）。
【請求項７】
前記ワイヤレスデバイス（１６）の前記基地局（２０）によりスケジュールされるべき所与の１つまたは複数のアップリンクデータ送信について、
前記基地局（２０）と前記ワイヤレスデバイス（１６）の間でどの程度迅速にアップリンクチャネル条件が変化するかを前記基地局（２０）が評価することに従って、前記ワイヤレスデバイス（１６）による対応するアップリンク参照信号送信がスケジュールされる時間または回数を変更することと、
前記所与の１つまたは複数のアップリンクデータ送信に関連付けられている１つまたは複数の送信フォーマットに従って、前記ワイヤレスデバイス（１６）による対応するアップリンク参照信号送信がスケジュールされる時間または回数を変更することと
のうちの少なくとも１つに基づいて、必要に応じて、前記ワイヤレスデバイス（１６）による１つまたは複数の対応するアップリンク参照信号送信を条件付きでスケジュールすることを含む、請求項１から６のいずれか一項に記載の方法（６００）。
【請求項８】
ワイヤレス通信ネットワーク（１０）において動作するように設定された基地局（２０）であって、
ワイヤレスデバイス（１６）に信号を送り、ワイヤレスデバイス（１６）から信号を受信するように設定された無線送受信機回路（３２、３４）と、
前記無線送受信機回路（３２、３４）に動作可能に関連付けられ、
アップリンクデータ送信をスケジュールし、
前記基地局（２０）が他の場合には、前記アップリンクデータ送信を処理するために有効であるチャネル推定を有しないであろうと決定することに応じて、対応するアップリンク参照信号送信をスケジュールする
ように設定されることに基づいて、前記ワイヤレスデバイス（１６）による前記アップリンクデータ送信と前記対応するアップリンク参照信号送信とを別個にスケジュールするように動作可能な処理回路（３６）と
を備える、基地局（２０）。
【請求項９】
前記処理回路（３６）は、前記ワイヤレスデバイス（１６）による１つまたは複数のアップリンクデータ送信が１つまたは複数の第１のスケジューリング間隔にて生じるようにスケジュールすることによって、前記ワイヤレスデバイス（１６）による前記アップリンクデータ送信をスケジュールするように設定され、前記ワイヤレスデバイス（１６）による１つまたは複数の対応するアップリンク参照信号送信が、前記第１のスケジューリング間隔の少なくとも１つに対して予め決められた時間に近接する範囲内で生じるように前記基地局（２０）によって選択された１つまたは複数の第２のスケジューリング間隔にて生じるようにスケジュールすることによって、前記対応するアップリンク参照信号送信をスケジュールするように設定される、請求項８に記載の基地局（２０）。
【請求項１０】
前記ワイヤレスデバイス（１６）による前記対応するアップリンク参照信号送信は、前記対応するアップリンク参照信号送信を、前記アップリンクデータ送信の予め決められた時間に近接する範囲内で生じるよう、および前記アップリンクデータ送信のまたがる周波数間隔と少なくとも同じ周波数間隔にまたがるようスケジュールするように前記基地局（２０）が設定されていることに基づく、前記ワイヤレスデバイス（１６）による前記アップリンクデータ送信に対応する、請求項８または９に記載の基地局（２０）。
【請求項１１】
前記処理回路（３６）は、前記対応するアップリンク参照信号送信を受信することなく、前記基地局（２０）が前記アップリンクデータ送信に時間的およびスペクトル的関連性を有するチャネル推定を有しないであろうと決定することにより、前記基地局（２０）が他の場合には、前記アップリンクデータ送信を処理するために有効であるチャネル推定を有しないであろうと決定するように設定される、請求項８から１０のいずれか一項に記載の基地局（２０）。
【請求項１２】
前記処理回路（３６）は、前記ワイヤレスデバイス（１６）と前記基地局（２０）の間でどの程度迅速にアップリンクチャネル条件が変化するかを評価することに従って時間的関連性を決定するように設定される、請求項１１に記載の基地局（２０）。
【請求項１３】
前記処理回路（３６）は、前記基地局（２０）が前記アップリンクデータ送信を処理するために有効であるチャネル推定を有しているかまたは有することになると決定することに応じて、前記対応するアップリンク参照信号送信をスケジュールしないように設定される、請求項８から１２のいずれか一項に記載の基地局（２０）。
【請求項１４】
前記ワイヤレスデバイス（１６）の前記基地局（２０）によりスケジュールされるべき所与の１つまたは複数のアップリンクデータ送信について、前記処理回路（３６）は、
前記基地局（２０）と前記ワイヤレスデバイス（１６）の間でどの程度迅速にアップリンクチャネル条件が変化するかを評価することに従って、前記ワイヤレスデバイス（１６）による対応するアップリンク参照信号送信がスケジュールされる時間または回数を変更することと、
前記所与の１つまたは複数のアップリンクデータ送信に関連付けられている１つまたは複数の送信フォーマットに従って、前記ワイヤレスデバイス（１６）による対応するアップリンク参照信号送信がスケジュールされる時間または回数を変更することと
のうちの少なくとも１つに基づいて、必要に応じて、前記ワイヤレスデバイス（１６）による１つまたは複数の対応するアップリンク参照信号送信を条件付きでスケジュールするように設定される、請求項８から１３のいずれか一項に記載の基地局（２０）。
【請求項１５】
ワイヤレス通信ネットワーク（１０）において動作するように設定されたワイヤレスデバイス（１６）における方法（７００）であって、
ワイヤレスデバイス（１６）によるアップリンクデータ送信の第１のグラントを受信し、対応するアップリンク参照信号送信の第２のグラントを別個に受信すること（７０２）と、
前記第１のグラントに従ってアップリンクデータを送信し、前記第２のグラントに従ってアップリンク参照信号を送信すること（７０４）と
を含む、方法（７００）。
【請求項１６】
前記第１のグラントに従って前記アップリンクデータを送信し、前記第２のグラントに従って前記アップリンク参照信号を送信すること（７０４）は、前記第１のグラントによって割り当てられた第１のスケジューリング間隔にて前記アップリンクデータを送信すること、および前記第２のグラントによって割り当てられた第２のスケジューリング間隔にて前記アップリンク参照信号を送信することを含む、請求項１５に記載の方法（７００）。
【請求項１７】
前記第１のグラントは、第１の周波数間隔にある周波数リソースを割り当て、前記第２のグラントは、前記第１の周波数間隔に少なくともまたがる周波数リソースを割り当てる、請求項１６に記載の方法（７００）。
【請求項１８】
前記第２のグラントを受信することは、半永続的スケジューリンググラントを受信することを含み、前記第２のグラントに従って前記アップリンク参照信号送信を実行することは、アップリンク参照信号を前記半永続的スケジューリンググラントによって暗示される複数のスケジュール間隔の各々において送信することを含む、請求項１５から１７のいずれか一項に記載の方法（７００）。
【請求項１９】
所与のアップリンクデータ送信への時間的およびスペクトル的関連性を有するアップリンク参照信号送信が他の場合にはないであろうと決定することに応じて、前記ワイヤレスデバイス（１６）による前記所与のアップリンクデータ送信に対応するアップリンク参照信号を送信することを自律的に決めることをさらに含む、請求項１５から１８のいずれか一項に記載の方法（７００）。
【請求項２０】
ワイヤレス通信ネットワーク（１０）において動作するように設定されたワイヤレスデバイス（１６）であって、
前記ワイヤレス通信ネットワーク（１０）に信号を送り、前記ワイヤレス通信ネットワーク（１０）から信号を受信するように設定された無線送受信機回路（５２、５４）と、
前記無線送受信機回路（５２、５４）に動作可能に関連付けられている処理回路（５６）であって、
前記ワイヤレスデバイス（１６）によるアップリンクデータ送信の第１のグラントを受信し、対応するアップリンク参照信号送信の第２のグラントを別個に受信するように設定され、
前記第１のグラントに従ってアップリンクデータを送信し、前記第２のグラントに従ってアップリンク参照信号を送信するように設定された、処理回路（５６）と
を備える、ワイヤレスデバイス（１６）。
【請求項２１】
前記処理回路（５６）は、前記第１のグラントによって割り当てられた第１のスケジューリング間隔にて前記アップリンクデータを送信し、前記第２のグラントによって割り当てられた第２のスケジューリング間隔にて前記アップリンク参照信号を送信するように設定される、請求項２０に記載のワイヤレスデバイス（１６）。
【請求項２２】
前記第１のグラントは、第１の周波数間隔にある周波数リソースを割り当て、前記第２のグラントは、前記第１の周波数間隔に少なくともまたがる周波数リソースを割り当てる、請求項２１に記載のワイヤレスデバイス（１６）。
【国際調査報告】
2018528674.tif 000013
2018528674.tif 000014
2018528674.tif 000015